(57)【特許請求の範囲】
【請求項１】
第１移動局と第２移動局との間で、無線基地局との間で設定されている無線基地局インタフェースにおける無線リンクを介することなく、該第１移動局と該第２移動局との間で設定されている移動局間インタフェースにおける無線リンクを介して、データ信号の送受信を行う第１通信状態と、該第１移動局と該第２移動局との間で、該無線基地局インタフェースにおける無線リンクを介して、データ信号の送受信を行う第２通信状態とを切り替えることができる移動通信方法であって、
前記第１移動局が、前記第１通信状態において、前記移動局間インタフェースにおいて無線リンク障害を検出した場合、該移動局間インタフェースにおける無線リンクを解放し、セル選択処理を行い、選択したセルを配下に持つ無線基地局に対して、前記移動局間インタフェースにおいて無線リンク障害を検出した旨を報告し、前記無線基地局インタフェースにおける無線リンクを確立し、前記第２通信状態に遷移する工程を有し、
前記工程は、
前記無線基地局が、コアネットワーク装置に対して、前記移動局間インタフェースにおいて無線リンク障害が検出された旨を報告する工程と、
前記コアネットワーク装置が、前記無線基地局を介して、前記第１移動局及び前記第２移動局に対して、前記第１通信状態から前記第２通信状態への遷移を指示する工程とを有することを特徴とする移動通信方法。
【請求項２】
第１移動局と第２移動局との間で、無線基地局との間で設定されている無線基地局インタフェースにおける無線リンクを介することなく、該第１移動局と該第２移動局との間で設定されている移動局間インタフェースにおける無線リンクを介して、データ信号の送受信を行う第１通信状態と、該第１移動局と該第２移動局との間で、該無線基地局インタフェースにおける無線リンクを介して、データ信号の送受信を行う第２通信状態とを切り替えることができる移動通信システムにおいて該第１移動局として動作可能な移動局であって、
前記第１通信状態において、前記移動局間インタフェースにおいて無線リンク障害が検出された場合、該移動局間インタフェースにおける無線リンクを解放し、セル選択処理を行い、選択したセルを配下に持つ無線基地局に対して、前記移動局間インタフェースにおいて無線リンク障害を検出した旨を報告し、前記無線基地局インタフェースにおける無線リンクを確立し、前記第２通信状態に遷移するように構成されている通信部を具備し、
前記通信部は、コアネットワーク装置から、前記無線基地局を介して、前記第１通信状態から前記第２通信状態への遷移を指示する情報を受信した場合に、該第２通信状態に遷移するように構成されていることを特徴とする移動局。
【発明の詳細な説明】
【技術分野】
【０００１】
本発明は、移動通信方法、移動局、コアネットワーク装置及び無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥは、Ｕｕインタフェースにおける無線リンクにおいて、無線基地局ｅＮＢからのＲＳ（Ｒｅｆｅｒｅｎｃｅ  Ｓｉｇｎａｌ、参照信号）等の信号を受信し、その品質（ＳＩＲ：Ｓｉｇｎａｌ  ｔｏ  Ｉｎｔｅｒｆｅｒｅｎｃｅ  Ｒａｔｉｏ）を監視するように構成されている。
【０００３】
具体的には、移動局ＵＥは、無線基地局ｅＮＢによってＲＲＣ（Ｒａｄｉｏ  Ｒｅｓｏｕｒｃｅ  Ｃｏｎｔｒｏｌ）メッセージで設定されるパラメータＮ３１０やＮ３１１やＴ３１０を用いて、以下の通り、ＲＬＦ（Ｒａｄｉｏ  Ｌｉｎｋ  Ｆａｉｌｕｒｅ、無線リンク障害）を検出するように構成されている。
【０００４】
移動局ＵＥにおいて、物理レイヤは、受信信号（ＲＳ）の品質（ＳＩＲ）を測定し、かかる品質が「Ｑｏｕｔ」以下となると、ＲＲＣレイヤに対して「ｏｕｔ-ｏｆ-ｓｙｎｃ」を通知し、かかる品質が「Ｑｉｎ」以上となると、ＲＲＣレイヤに対して「ｉｎ-ｏｆ-ｓｙｎｃ」を通知する。
【０００５】
ここで、かかる品質が「Ｑｉｎ」と「Ｑｏｕｔ」との間にある場合、移動局ＵＥの物理レイヤは、ＲＲＣレイヤに対して何も通知しない。なお、かかる測定は、４０ｍｓ周期で行われる。
【０００６】
そして、図６に示すように、移動局ＵＥにおいて、ＲＲＣレイヤは、物理レイヤから連続してＮ３１０回「ｏｕｔ-ｏｆ-ｓｙｎｃ」を受信すると、Ｔ３１０を開始する。
【０００７】
その後、ＲＲＣレイヤは、Ｔ３１０が起動している間に連続してＮ３１１回「ｉｎ-ｏｆ-ｓｙｎｃ」を受信すると、Ｔ３１０を停止してリセットする（ＣＡＳＥ２）。
【０００８】
一方、ＲＲＣレイヤは、Ｔ３１０が満了すると、ＲＬＦを検出する（ＣＡＳＥ１）。
【０００９】
移動局ＵＥは、ＲＬＦを検出すると、セル選択処理を行い、「ｓｕｉｔａｂｌｅ  ｃｅｌｌ」が見つかれば、再接続処理（ＲＲＣ  Ｃｏｎｎｅｃｔｉｏｎ  Ｒｅ-ｅｓｔａｂｌｉｓｈｍｅｎｔ）を行う。
【先行技術文献】
【非特許文献】
【００１０】
【非特許文献１】３ＧＰＰ  ＴＳ３６.３３１
【非特許文献２】３ＧＰＰ  ＴＳ３６.１３３
【発明の概要】
【発明が解決しようとする課題】
【００１１】
しかしながら、従来のＬＴＥ方式の移動通信システムでは、複数の移動局ＵＥが、同一セル（或いは、無線基地局ｅＮＢ配下のセル）内に位置している場合であっても、データ信号及び制御信号の両方が、無線基地局ｅＮＢを介して送受信されるように構成されているため、無線基地局ｅＮＢの処理負荷が増大してしまうという問題点があった。
【００１２】
かかる問題点を解決するために、複数の移動局ＵＥが、無線基地局ｅＮＢとの間で設定されているＵｕインタフェースにおける無線リンクを介することなく、移動局間インタフェース（以下、Ｕｄインタフェース）における無線リンクを介して、データ信号の送受信を行うことを想定することができる。
【００１３】
しかしながら、従来のＬＴＥ方式の移動通信システムの仕組みでは、複数の移動局ＵＥが、Ｕｄインタフェースにおける無線リンクを介してデータ信号の送受信を行っている場合、Ｕｄインタフェースにおける無線リンクの品質が劣化した場合に、救済手段が存在しないという問題点があった。
【００１４】
そこで、本発明は、上述の課題に鑑みてなされたものであり、Ｕｄインタフェースにおける無線リンクの品質が劣化した場合の救済手段を提供することができる移動通信方法、移動局、コアネットワーク装置及び無線基地局を提供することを目的とする。
【課題を解決するための手段】
【００１５】
本発明の第１の特徴は、第１移動局と第２移動局との間で、無線基地局との間で設定されている無線基地局インタフェースにおける無線リンクを介することなく、該第１移動局と該第２移動局との間で設定されている移動局間インタフェースにおける無線リンクを介して、データ信号の送受信を行う第１通信状態と、該第１移動局と該第２移動局との間で、該無線基地局インタフェースにおける無線リンクを介して、データ信号の送受信を行う第２通信状態とを切り替えることができる移動通信方法であって、前記第１移動局が、前記第１通信状態において、前記移動局間インタフェースにおいて無線リンク障害を検出し
た場合、該移動局間インタフェースにおける無線リンクを解放し、セル選択処理を行い、選択したセルを配下に持つ無線基地局に対して、前記移動局間インタフェースにおいて無線リンク障害を検出した旨を報告し、前記無線基地局インタフェースにおける無線リンクを確立し、前記第２通信状態に遷移する工程を有することを要旨とする。
【００１６】
本発明の第２の特徴は、第１移動局と第２移動局との間で、無線基地局との間で設定されている無線基地局インタフェースにおける無線リンクを介することなく、該第１移動局と該第２移動局との間で設定されている移動局間インタフェースにおける無線リンクを介して、データ信号の送受信を行う第１通信状態と、該第１移動局と該第２移動局との間で、該無線基地局インタフェースにおける無線リンクを介して、データ信号の送受信を行う第２通信状態とを切り替えることができる移動通信システムにおいて該第１移動局として動作可能な移動局であって、前記第１通信状態において、前記移動局間インタフェースに
おいて無線リンク障害が検出された場合、該移動局間インタフェースにおける無線リンクを解放し、セル選択処理を行い、選択したセルを配下に持つ無線基地局に対して、前記移動局間インタフェースにおいて無線リンク障害を検出した旨を報告し、前記無線基地局インタフェースにおける無線リンクを確立し、前記第２通信状態に遷移するように構成されている通信部を具備することを要旨とする。
【発明の効果】
【００１９】
以上説明したように、本発明によれば、Ｕｄインタフェースにおける無線リンクの品質が劣化した場合の救済手段を提供することができる移動通信方法、移動局、コアネットワーク装置及び無線基地局を提供することができる。
【図面の簡単な説明】
【００２０】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係るコアネットワーク装置の機能ブロック図である。
【図５】本発明の第１の実施形態に係る移動通信システムの動作を示すシーケンス図である。
【図６】従来の移動通信システムの動作について説明するための図である。
【発明を実施するための形態】
【００２１】
（本発明の第１の実施形態に係る移動通信システム）
図１乃至図５を参照して、本発明の第１の実施形態に係る移動通信システムについて説明する。
【００２２】
本実施形態に係る移動通信システムは、ＬＴＥ方式の移動通信システムであって、図１に示すように、コアネットワーク装置ＣＮと、コアネットワーク装置ＣＮ配下に接続されている無線基地局ｅＮＢとを具備している。なお、本発明は、ＬＴＥ方式以外のセルラー方式の移動通信システムにも適用可能である。
【００２３】
ここで、第１通信状態では、移動局ＵＥ＃１と移動局ＵＥ＃２との間で、無線基地局ｅＮＢとの間で設定されているＵｕインタフェースにおける無線リンクを介することなく、移動局ＵＥ＃１と移動局ＵＥ＃２との間で設定されているＵｄインタフェースにおける無線リンクを介して、データ信号が送受信されるように構成されている。
【００２４】
ただし、移動局ＵＥ＃１及び移動局ＵＥ＃２は、第１通信状態において、制御信号については、Ｕｕインタフェースにおける無線リンクを介して、無線基地局ｅＮＢとの間で送受信するように構成されている。
【００２５】
また、第２通信状態では、移動局ＵＥ＃１と移動局ＵＥ＃２との間で、Ｕｕインタフェースにおける無線リンクを介して、データ信号が送受信されるように構成されている。
【００２６】
すなわち、移動局ＵＥ＃１は、移動局ＵＥ＃２との間で、無線基地局ｅＮＢを介して（Ｕｕインタフェースにおける無線リンクを介して）データ信号を送受信することもできるし（第２通信状態）、無線基地局ｅＮＢを介さないで（Ｕｄインタフェースにおける無線リンクを介して）データ信号を送受信することもできる（第１通信状態）。
【００２７】
同様に、移動局ＵＥ＃２は、移動局ＵＥ＃１との間で、無線基地局ｅＮＢを介して（Ｕｕインタフェースにおける無線リンクを介して）データ信号を送受信することもできるし（第２通信状態）、無線基地局ｅＮＢを介さないで（Ｕｄインタフェースにおける無線リンクを介して）データ信号を送受信することもできる（第１通信状態）。
【００２８】
例えば、本実施形態に係る移動通信システムにおいて、コアネットワーク装置ＣＮは、移動管理ノードＭＭＥ（Ｍｏｂｉｌｉｔｙ  Ｍａｎａｇｅｍｅｎｔ  Ｅｎｔｉｔｙ）やゲートウェイ装置Ｐ/Ｓ-ＧＷ（ＰＤＮ/Ｓｅｒｖｉｎｇ  Ｇａｔｅｗａｙ）であってもよい。
【００２９】
移動局ＵＥ＃１の機能及び移動局ＵＥ＃２の機能は、基本的に同一であるため、以下、代表して移動局ＵＥ＃１の機能について説明する。図２に示すように、移動局ＵＥ＃１は、受信部１１と、ＲＬＦ検出部１２と、送信部１３と、セル選択・再接続処理部１４とを具備している。
【００３０】
受信部１１は、移動局ＵＥが、第１通信状態である場合、Ｕｕインタフェースにおける無線リンクを介して無線基地局ｅＮＢから制御信号を受信し、Ｕｄインタフェースにおける無線リンクを介して移動局ＵＥ＃２からデータ信号を受信するように構成されている。
【００３１】
また、受信部１１は、移動局ＵＥが、第２通信状態である場合、Ｕｕインタフェースにおける無線リンクを介して無線基地局ｅＮＢから制御信号及びデータ信号を受信するように構成されている。
【００３２】
さらに、受信部１１は、チャネル推定用に移動局ＵＥ＃２によって送信されたＲＳを受信するように構成されている。
【００３３】
ＲＬＦ検出部１４は、ＵｕインタフェースにおけるＲＬＦに加えて、ＵｄインタフェースにおけるＲＬＦを検出するように構成されている。
【００３４】
例えば、ＲＬＦ検出部１４は、ＵｕインタフェースにおけるＲＬＦの検出と同様の方法で、ＵｄインタフェースにおけるＲＬＦを検出するように構成されていてもよい。
【００３５】
ここで、ＲＬＦ検出部１４は、ＵｕインタフェースにおけるＲＬＦの検出で用いるパラメータＮ３１０やＮ３１１やＴ３１０の値と同じ値を用いて、ＵｄインタフェースにおけるＲＬＦを検出するように構成されていてもよいし、ＵｕインタフェースにおけるＲＬＦの検出で用いるパラメータＮ３１０やＮ３１１やＴ３１０の値と異なる値を用いて、ＵｄインタフェースにおけるＲＬＦを検出するように構成されていてもよい。
【００３６】
送信部１３は、移動局ＵＥが、第１通信状態である場合、Ｕｕインタフェースにおける無線リンクを介して無線基地局ｅＮＢに対して制御信号を送信し、Ｕｄインタフェースにおける無線リンクを介して移動局ＵＥ＃２に対してデータ信号を送信するように構成されている。
【００３７】
また、送信部１３は、移動局ＵＥが、第２通信状態である場合、Ｕｕインタフェースにおける無線リンクを介して無線基地局ｅＮＢに対して制御信号及びデータ信号を送信するように構成されている。
【００３８】
さらに、送信部１３は、チャネル推定用に移動局ＵＥ＃２に対してＲＳを送信するように構成されている。
【００３９】
なお、ＲＬＦ検出部１４が、ＵｄインタフェースにおけるＲＬＦを検出した場合、送信部１３は、その旨を無線基地局ｅＮＢに対して報告する、すなわち、その旨を示す「Ｕｄ  ＲＬＦ  Ｒｅｐｏｒｔ」を送信するように構成されている。
【００４０】
セル選択・再接続処理部１４は、セル選択処理及び再接続処理を行うように構成されている。
【００４１】
ここで、送信部１３及び受信部１１は、移動局ＵＥ＃１が、第１通信状態である場合で、かつ、ＲＬＦ検出部１４が、ＵｄインタフェースにおいてＲＬＦを検出した場合、第２通信状態に遷移するように構成されている。
【００４２】
例えば、受信部１１が、無線基地局ｅＮＢから、後述する「Ｒｅｃｏｎｆｉｇｕｒａｔｉｏｎ」を受信した場合、送信部１３及び受信部１１は、第１通信状態から第２通信状態に遷移するように構成されていてもよい。
【００４３】
また、移動局ＵＥが、第１通信状態である場合で、かつ、ＲＬＦ検出部１４が、ＵｄインタフェースにおいてＲＬＦを検出した場合、セル選択・再接続処理部１４は、Ｕｄインタフェースにおける無線リンクを解放し、セル選択処理を行い、再接続処理によって、選択されたセルとの間でＵｕインタフェースにおける無線リンクを確立するように構成されていてもよい。
【００４４】
その結果、送信部１３及び受信部１１は、第１通信状態から第２通信状態に遷移するように構成されている。
【００４５】
図２に示すように、無線基地局ｅＮＢは、受信部２１と、送信部２２とを具備している。
【００４６】
受信部２１は、第１通信状態の移動局ＵＥ＃１や移動局ＵＥ＃２から制御信号を受信し、第２通信状態の移動局ＵＥ＃１や移動局ＵＥ＃２から制御信号及びデータ信号を受信するように構成されている。
【００４７】
また、受信部２１は、第１通信状態の移動局ＵＥ＃１や移動局ＵＥ＃２から、上述の「Ｕｄ  ＲＬＦ  Ｒｅｐｏｒｔ」を受信するように構成されている。
【００４８】
送信部２２は、第１通信状態の移動局ＵＥ＃１や移動局ＵＥ＃２に対して制御信号を送信し、第２通信状態の移動局ＵＥ＃１や移動局ＵＥ＃２に対して制御信号及びデータ信号を送信するように構成されている。
【００４９】
また、受信部２１が、第１通信状態の移動局ＵＥ＃１や移動局ＵＥ＃２から「Ｕｄ  ＲＬＦ  Ｒｅｐｏｒｔ」を受信した場合、送信部２２は、コアネットワーク装置ＣＮに対して、ＵｄインタフェースにおいてＲＬＦが検出された旨を示す「Ｕｄ  Ｆａｉｌｕｒｅ  Ｒｅｐｏｒｔ」を送信するように構成されている。
【００５０】
また、受信部２１が、コアネットワーク装置ＣＮから、移動局ＵＥ＃１や移動局ＵＥ＃２についての第１通信状態から第２通信状態への遷移を指示する「Ｕｄ  ｔｏ  Ｕｕ  Ｃｏｍｍａｎｄ」を受信した場合、送信部２２は、第１通信状態の移動局ＵＥ＃１や移動局ＵＥ＃２に対して、第１通信状態から第２通信状態への遷移を指示する「Ｒｅｃｏｎｆｉｇｕｒａｔｉｏｎ」を送信するように構成されている。
【００５１】
図３に示すように、コアネットワーク装置ＣＮは、受信部３１と、送信部３２とを具備している。
【００５２】
受信部３１は、無線基地局ｅＮＢから各種信号を受信するように構成されている。送信部３２は、無線基地局ｅＮＢに対して各種信号を送信するように構成されている。
【００５３】
例えば、受信部３１が、無線基地局ｅＮＢから「Ｕｄ  Ｆａｉｌｕｒｅ  Ｒｅｐｏｒｔ」を受信した場合、送信部３２は、無線基地局ｅＮＢに対して「Ｕｄ  ｔｏ  Ｕｕ  Ｃｏｍｍａｎｄ」を送信するように構成されている。
【００５４】
以下、図５を参照して、本実施形態に係る移動通信システムにおいて、移動局ＵＥ＃１及び移動局ＵＥ＃２が第１通信状態から第２通信状態に遷移する場合の動作について説明する。
【００５５】
図５に示すように、ステップＳ１００１において、移動局ＵＥ＃１は、Ｕｄインタフェースにおける無線リンクを介して移動局ＵＥ＃２に対してＲＳ＃１を送信し、ステップＳ１００２において、移動局ＵＥ＃２は、Ｕｄインタフェースにおける無線リンクを介して移動局ＵＥ＃２に対してＲＳ＃２を送信する。
【００５６】
移動局ＵＥ＃１は、ステップＳ１００３において、受信したＲＳ＃２の品質の測定結果に基づいて、ＵｄインタフェースにおけるＲＬＦを検出し、ステップＳ１００４において、無線基地局ｅＮＢに対して「Ｕｄ  ＲＬＦ  Ｒｅｐｏｒｔ」を送信する。
【００５７】
ステップＳ１００５において、無線基地局ｅＮＢは、コアネットワーク装置ＣＮに対して「Ｕｄ  Ｆａｉｌｕｒｅ  Ｒｅｐｏｒｔ」を送信する。
【００５８】
ステップＳ１００６において、コアネットワーク装置ＣＮは、無線基地局ｅＮＢに対して「Ｕｄ  ｔｏ  Ｕｕ  Ｃｏｍｍａｎｄ」を送信する。
【００５９】
無線基地局ｅＮＢは、ステップＳ１００７において、移動局ＵＥ＃１に対して、第１通信状態から第２通信状態への遷移を指示する「Ｒｅｃｏｎｆｉｇｕｒａｔｉｏｎ」を送信すると共に、ステップＳ１００８において、移動局ＵＥ＃２に対して、第１通信状態から第２通信状態への遷移を指示する「Ｒｅｃｏｎｆｉｇｕｒａｔｉｏｎ」を送信する。
【００６０】
ステップＳ１００９において、移動局ＵＥ＃２は、無線基地局ｅＮＢに対して、「Ｒｅｃｏｎｆｉｇ  Ｃｏｍｐｌｅｔｅ」を送信し、ステップＳ１０１０において、移動局ＵＥ＃１は、無線基地局ｅＮＢに対して、「Ｒｅｃｏｎｆｉｇ  Ｃｏｍｐｌｅｔｅ」を送信する。
【００６１】
ステップＳ１０１１において、無線基地局ｅＮＢは、コアネットワーク装置ＣＮに対して「Ｕｄ  ｔｏ  Ｕｕ  Ｃｏｍｐｌｅｔｅ」を送信する。
【００６２】
本発明の第１の実施形態に係る移動通信システムによれば、Ｕｄインタフェースにおける無線リンクの品質が劣化した場合、すなわち、第１通信状態の移動局ＵＥ＃１及び移動局ＵＥ＃２が、ＵｄインタフェースにおいてＲＬＦを検出した場合に、第１通信状態から第２通信状態に遷移することによって、Ｕｄインタフェースの代わりにＵｕインタフェースを用いて通信を継続することができる。
【００６３】
（変更例１）
変更例１に係る移動通信システムでは、無線基地局ｅＮＢは、移動局ＵＥ＃１及び移動局ＵＥ＃２から「Ｕｄ  ＲＬＦ  Ｒｅｐｏｒｔ」を受信した場合、コアネットワーク装置ＣＮに対して「Ｕｄ  Ｆａｉｌｕｒｅ  Ｒｅｐｏｒｔ」を送信することなく、移動局ＵＥ＃１及び移動局ＵＥ＃２に対して、第１通信状態から第２通信状態への遷移を指示する「Ｒｅｃｏｎｆｉｇｕｒａｔｉｏｎ」を送信するように構成されていてもよい。
【００６４】
以上に述べた本実施形態の特徴は、以下のように表現されていてもよい。
【００６５】
本実施形態の第１の特徴は、移動局ＵＥ＃１（第１移動局）と移動局ＵＥ＃２（第２移動局）との間で、無線基地局ｅＮＢとの間で設定されているＵｕインタフェース（無線基地局インタフェース）における無線リンクを介することなく、移動局ＵＥ＃１と移動局ＵＥ＃２との間で設定されているＵｄインタフェース（移動局間インタフェース）における無線リンクを介して、データ信号の送受信を行う第１通信状態と、移動局ＵＥ＃１と移動局ＵＥ＃２との間で、Ｕｕインタフェースにおける無線リンクを介して、データ信号の送受信を行う第２通信状態とを切り替えることができる移動通信方法であって、移動局ＵＥ＃１が、第１通信状態において、ＵｄインタフェースにおいてＲＬＦ（無線リンク障害）を検出した場合、第２通信状態に遷移する工程を有することを要旨とする。
【００６６】
本実施形態の第１の特徴において、上述の工程は、移動局ＵＥ＃１が、第１通信状態において、ＵｄインタフェースにおいてＲＬＦを検出した場合、その旨を無線基地局ｅＮＢに対して報告する工程と、無線基地局ｅＮＢが、コアネットワーク装置ＣＮに対して、ＵｄインタフェースにおいてＲＬＦが検出された旨を報告する工程と、コアネットワーク装置ＣＮが、無線基地局ｅＮＢを介して、移動局ＵＥ＃１及び移動局ＵＥ＃２に対して、第１通信状態から第２通信状態への遷移を指示する工程とを有していてもよい。
【００６７】
本実施形態の第１の特徴において、上述の工程は、移動局ＵＥ＃１が、第１通信状態において、ＵｄインタフェースにおいてＲＬＦを検出した場合、その旨を無線基地局ｅＮＢに対して報告する工程と、無線基地局ｅＮＢが、移動局ＵＥ＃１及び移動局ＵＥ＃２に対して、第１通信状態から第２通信状態への遷移を指示する工程とを有していてもよい。
【００６８】
本実施形態の第１の特徴において、上述の工程は、移動局ＵＥ＃１が、第１通信状態において、ＵｄインタフェースにおいてＲＬＦを検出した場合、Ｕｄインタフェースにおける無線リンクを解放し、セル選択処理を行い、Ｕｕインタフェースにおける無線リンクを確立する工程を有していてもよい。
【００６９】
本実施形態の第２の特徴は、移動局ＵＥ＃１と移動局ＵＥ＃２との間で、無線基地局ｅＮＢとの間で設定されているＵｕインタフェースにおける無線リンクを介することなく、移動局ＵＥ＃１と移動局ＵＥ＃２との間で設定されているＵｄインタフェースにおける無線リンクを介して、データ信号の送受信を行う第１通信状態と、移動局ＵＥ＃１と移動局ＵＥ＃２との間で、Ｕｕインタフェースにおける無線リンクを介して、データ信号の送受信を行う第２通信状態とを切り替えることができる移動通信システムにおいて移動局ＵＥ＃１として動作可能な移動局ＵＥであって、第１通信状態において、ＵｄインタフェースにおいてＲＬＦが検出された場合、第２通信状態に遷移するように構成されている送信部１３及び受信部１１（通信部）を具備することを要旨とする。
【００７０】
本実施形態の第２の特徴において、送信部１３は、第１通信状態において、ＵｄインタフェースにおいてＲＬＦが検出された場合、その旨を無線基地局ｅＮＢに対して報告するように構成されており、コアネットワーク装置ＣＮから、無線基地局ｅＮＢを介して、第１通信状態から第２通信状態への遷移を指示する情報を受信した場合に、第２通信状態に遷移するように構成されていてもよい。
【００７１】
本実施形態の第２の特徴において、送信部１３は、第１通信状態において、ＵｄインタフェースにおいてＲＬＦが検出された場合、その旨を無線基地局ｅＮＢに対して報告するように構成されており、無線基地局ｅＮＢから、第１通信状態から第２通信状態への遷移を指示する情報を受信した場合に、第２通信状態に遷移するように構成されていてもよい。
【００７２】
本実施形態の第２の特徴において、セル選択・再接続処理部１４（通信部）は、第１通信状態において、ＵｄインタフェースにおいてＲＬＦが検出された場合、Ｕｄインタフェースにおける無線リンクを解放し、セル選択処理を行い、Ｕｕインタフェースにおける無線リンクを確立するように構成されていてもよい。
【００７３】
本実施形態の第３の特徴は、移動局ＵＥ＃１と移動局ＵＥ＃２との間で、無線基地局ｅＮＢとの間で設定されているＵｕインタフェースにおける無線リンクを介することなく、移動局ＵＥ＃１と移動局ＵＥ＃２との間で設定されているＵｄインタフェースにおける無線リンクを介して、データ信号の送受信を行う第１通信状態と、移動局ＵＥ＃１と移動局ＵＥ＃２との間で、Ｕｕインタフェースにおける無線リンクを介して、データ信号の送受信を行う第２通信状態とを切り替えることができる移動通信システムで用いられるコアネットワーク装置ＣＮであって、第１通信状態の移動局ＵＥ＃１から、無線基地局ｅＮＢを介して、ＵｄインタフェースにおいてＲＬＦが検出された旨の報告を受信した場合に、無線基地局ｅＮＢを介して、移動局ＵＥ＃１及び移動局ＵＥ＃２に対して、第１通信状態から第２通信状態への遷移を指示するように構成されている送信部３１（指示部）を具備することを要旨とする。
【００７４】
本実施形態の第４の特徴は、移動局ＵＥ＃１と移動局ＵＥ＃２との間で、無線基地局ｅＮＢとの間で設定されているＵｕインタフェースにおける無線リンクを介することなく、移動局ＵＥ＃１と移動局ＵＥ＃２との間で設定されているＵｄインタフェースにおける無線リンクを介して、データ信号の送受信を行う第１通信状態と、移動局ＵＥ＃１と移動局ＵＥ＃２との間で、Ｕｕインタフェースにおける無線リンクを介して、データ信号の送受信を行う第２通信状態とを切り替えることができる移動通信システムで用いられる無線基地局ｅＮＢであって、第１通信状態の移動局ＵＥから、ＵｄインタフェースにおいてＲＬＦが検出された旨の報告を受信した場合に、移動局ＵＥ＃１及び移動局ＵＥ＃２に対して、第１通信状態から第２通信状態への遷移を指示するように構成されている送信部２１（指示部）を具備することを要旨とする。
【００７５】
なお、上述のコアネットワーク装置ＣＮや無線基地局ｅＮＢや移動局ＵＥ等の動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、コアネットワーク装置ＣＮや無線基地局ｅＮＢや移動局ＵＥ等内に設けられていてもよい。また、かかる記憶媒体及びプロセッサは、ディスクリートコンポーネントとしてコアネットワーク装置ＣＮや無線基地局ｅＮＢや移動局ＵＥ等内に設けられていてもよい。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７９】
ＵＥ…移動局
ｅＮＢ…無線基地局
ＣＮ…コアネットワーク装置
１１、２１、３１…受信部
１２…ＲＬＦ検出部
１３、２２、３２…送信部
１４…セル選択・再接続処理部
【図１】
0005508337.tif 000002
【図２】
0005508337.tif 000003
【図３】
0005508337.tif 000004
【図４】
0005508337.tif 000005
【図５】
0005508337.tif 000006
【図６】
0005508337.tif 000007